(57)【要約】【課題】簡易な作業により壁材の端部を見栄えよく仕舞うことができるとともに、隅部を水密とできる建築物の隅構造を提供する。【解決手段】建築物の躯体に接合される本体１０と、該本体１０の隅部をカバーするカバー２０とを備えてなる建築物の隅構造Ｋであって、前記本体１０は、一方の壁材Ｗ１の端部を収納する第１収納部１１と、他方の壁材Ｗ２の端部を収納する第２収納部１２とを一体化して有し、前記第１収納部１１は、前記第２収納部１２との接続部１１ｄを有し、前記第２収納部１２は、前記第１収納部１１との接続部１２ｄを有し、前記カバー２０は、前記第１収納部１１と係止される第１収納部係止部と、前記第２収納部１２と係止される第２収納部係止部とを有してなるものである。【選択図】図１
0003228471.tif 000002
【実用新案登録請求の範囲】
【請求項１】
建築物の躯体に接合される本体と、該本体の隅部をカバーするカバーとを備えてなる建築物の隅構造であって、
前記本体は、一方の壁材の端部を収納する第１収納部と、他方の壁材の端部を収納する第２収納部とを一体化して有し、
前記第１収納部は、前記第２収納部との接続部を有し、
前記第２収納部は、前記第１収納部との接続部を有し、
前記カバーは、前記第１収納部と係止される第１収納部係止部と、前記第２収納部と係止される第２収納部係止部とを有してなる
ことを特徴とする建築物の隅構造。
【請求項２】
第１収納部は、躯体側の躯体側辺と、該躯体側辺から外方に配設された外方辺と、前記躯体側辺と前記外方辺との間隔を規制する間隔辺と、接続辺とを一体化して有し、
第２収納部は、躯体側の躯体側辺と、該躯体側辺から外方に配設された外方辺と、前記躯体側辺と前記外方辺との間隔を規制する間隔辺と、接続辺とを一体化して有し、
前記各躯体側辺の先端は、前記各外方辺の先端より隅から遠い位置とされてなる
ことを特徴とする請求項１記載の建築物の隅構造。
【請求項３】
間隔辺の長さは、壁材の端部を収納部に収納できるよう調整されてなることを特徴とする請求項２記載の建築物の隅構造。
【請求項４】
収納部係止部は、カバーの先端部を外方辺の端部を包み込むようして折り曲げて形成されてなることを特徴とする請求項２記載の建築物の隅構造。
【請求項５】
カバーの隅部は、本体の隅と相似形とされてなることを特徴とする請求項１記載の建築物の隅構造。
【請求項６】
カバーの隅部は、本体の間隔辺および接続辺に沿わされてなることを特徴とする請求項４記載の建築物の隅構造。
【考案の詳細な説明】
【技術分野】
【０００１】
本考案は建築物の隅構造に関する。さらに詳しくは、簡易な作業により壁材の端部を見栄えよく仕舞うことができる建築物の隅構造に関する。
【背景技術】
【０００２】
従来より、建築物の隅構造に関して種々提案がなされている。
【０００３】
例えば、特許文献１には、図５に示すように、ほぼ９０度で交わる２片の水平面状の固定部１０１と、固定部１０１の交点あるいは各固定部１０１の途中を外方に突出した立ち上がり片１０２と、立ち上がり片１０２の先端を外方に屈曲したカバー片１０３と、カバー片１０３の先端を外方に屈曲した側面化粧面１０４とから断面略コの字状に形成した嵌合溝１０５と、立ち上がり片１０２の先端を内方に屈曲して交わる化粧面１０６と、化粧面１０６と立ち上がり片１０２により形成された筒状の流水路１０７とから形成した隅部材１００が提案されている。
【０００４】
しかしながら、特許文献１の提案に係る隅部材１００は形状が複雑であるため、取り扱いが難しく、また施工も容易ではない。
【先行技術文献】
【特許文献】
【０００５】
【特許文献１】特開平１０−２８０５６６号公報
【考案の開示】
【考案が解決しようとする課題】
【０００６】
本考案はかかる従来技術の課題に鑑みなされたものであって、簡易な作業により壁材の端部を見栄えよく仕舞うことができるとともに、隅部を水密とできる建築物の隅構造を提供することを目的としている。
【課題を解決するための手段】
【０００７】
本考案の建築物の隅構造は、建築物の躯体に接合される本体と、該本体の隅部をカバーするカバーとを備えてなる建築物の隅構造であって、前記本体は、一方の壁材の端部を収納する第１収納部と、他方の壁材の端部を収納する第２収納部とを一体化して有し、前記第１収納部は、前記第２収納部との接続部を有し、前記第２収納部は、前記第１収納部との接続部を有し、前記カバーは、前記第１収納部と係止される第１収納部係止部と、前記第２収納部と係止される第２収納部係止部とを有してなることを特徴とする。
【０００８】
本考案の建築物の隅構造においては、第１収納部は、躯体側の躯体側辺と、該躯体側辺から外方に配設された外方辺と、前記躯体側辺と前記外方辺との間隔を規制する間隔辺と、接続辺とを一体化して有し、第２収納部は、躯体側の躯体側辺と、該躯体側辺から外方に配設された外方辺と、前記躯体側辺と前記外方辺との間隔を規制する間隔辺と、接続辺とを一体化して有し、前記各躯体側辺の先端は、前記各外方辺の先端より隅から遠い位置とされてなるのが好ましい。
【０００９】
また、本考案の建築物の隅構造においては、間隔辺の長さは、壁材の端部を収納部に収納できるよう調整されてなるのが好ましい。
【００１０】
また、本考案の建築物の隅構造においては、収納部係止部は、カバーの先端部を外方辺の端部を包み込むようして折り曲げて形成されてなるのが好ましい。
【００１１】
また、本考案の建築物の隅構造においては、カバーの隅部は、本体の隅と相似形とされてなるのが好ましく、その場合、カバーの隅部は、本体の間隔辺および接続辺に沿わされてなるのがさらに好ましい。
【考案の効果】
【００１２】
本考案の建築物の隅構造は、前記の如く構成されているので、簡易な作業により壁材の端部を見栄えよく仕舞うことができるとともに、隅部を水密とできるという優れた効果を奏する。
【図面の簡単な説明】
【００１３】
【図１】本考案の実施形態１の建築物の隅構造の平面図である。
【図２】本考案の実施形態２の建築物の隅構造の平面図である。
【図３】本考案の実施形態３の建築物の隅構造の平面図である。
【図４】本考案の実施形態４の建築物の隅構造の平面図である。
【図５】特許文献１の提案に係る隅部材の水平断面図である。
【考案を実施するための形態】
【００１４】
以下、添付図面を参照しながら本考案を実施形態に基づいて説明するが、本考案はかかる実施形態のみに限定されるものではない。
【００１５】
実施形態１
本考案の実施形態１に係る建築物の隅構造(以下、単に隅構造という)Ｋを図１に示す。なお、実施形態１は入隅部に関するものとされる。
【００１６】
隅構造Ｋは、図１に示すように、一方の壁材Ｗ１の端部を収納するコの字状の一端部収納部(第１収納部)１１と、他方の壁材Ｗ２の端部を収納するコの字状の他端部収納部(第２収納部)１２とを有する本体１０と、本体１０の隅部を建物の内側からカバーするカバー２０とを主要構成要素として備えてなるものとされる。
【００１７】
本体１０は、図１に示すように、一枚物の鋼板を折板加工して一端部収納部１１および他端部収納部１２を形成してなるものとされて建築物の躯体(例えば胴縁Ｂ)に接合(例えばビス留)される。なお、図示例においては、一端部収納部１１と他端部収納部１２とは直交させられているが、一端部収納部１１と他端部収納部１２とのなす角は、必ずしも直角とされる必要はなく適宜とでき、例えば１３５度とされてもよく、あるいは６０度されてもよい。
【００１８】
一端部収納部１１は、胴縁Ｂより遠い位置に配設された内側辺(外方辺)１１ａと、胴縁Ｂに当接する外側辺(躯体側辺)１１ｂと、内側辺１１ａおよび外側辺１１ｂの間隔を決定する間隔辺１１ｃと、接続部１１ｄとを有するものとされる。外側辺１１ｂの先端は、図１に示すように、内側辺１１ａの先端より外方に位置させられている。これにより、壁材Ｗ１の端部を安定して受けることができる。また、外側辺１１ｂの先端部は、胴縁Ｂ側に折り返されて他端部収納部１２との接続部１１ｄとされている。より具体的には、接続部１１ｄの他端は、後述する他端部収納部１２の接続部１２ｄの他端と一体化されている。ここで、間隔辺１１ｃの長さは、壁材Ｗ１の端部を収納できるよう調整されている。
【００１９】
他端部収納部１２は、一端部収納部１１と同様に、胴縁Ｂより遠い位置に配設された内側辺(外方辺)１２ａと胴縁Ｂに当接する外側辺(躯体側辺)１２ｂと内側辺１２ａおよび外側辺１２ｂの間隔を決定する間隔辺１２ｃと接続部１２ｄとを有するものとされる。外側辺１２ｂの先端は、図１に示すように、内側辺１２ａの先端より外方に位置させられている。これにより、壁材Ｗ２の端部を安定して受けることができる。また、外側辺１２ｂの先端部は、胴縁Ｂ側に折り返されて一端部収納部１１との接続部１２ｄとされている。より具体的には、接続部１２ｄの他端は、前述したように、一端部収納部１１の接続部１１ｄの他端と一体化されている。ここで、間隔辺１２ｃの長さは、壁材Ｗ２の端部を収納できるよう調整されている。
【００２０】
カバー２０は、図１に示すように、一枚物の鋼板を折板加工して、一端部収納部１１をカバーする一端部収納部カバー部(第１収納部カバー部)２１と、他端部収納部１２をカバーする他端部収納部カバー部(第２収納部カバー部)２２とを形成してなるものとされる。ここで、カバー２０をカラー鋼板とすることにより、隅部の意匠的効果を高めることができる。
【００２１】
一端部収納部カバー部２１の先端部は、図１に示すように、一端部収納部１１の内側辺１１ａの先端部を包み込むようにして折り返されている。つまり、一端部収納部カバー部２１の先端部は、一端部収納部１１の内側辺１１ａの係止部とされている。
【００２２】
他端部収納部カバー部２２の先端部は、同様に他端部収納部１２の内側辺１２ａの先端部を包み込むようにして折り返されている。つまり、他端部収納部カバー部２２の先端部は、他端部収納部１２の内側辺１２ａの係止部とされている。
【００２３】
このように、本実施形態の隅構造Ｋによれば、入隅部における壁材Ｗの端部を簡易な作業により見栄えよく仕舞うことができるとともに、入隅部を水密とすることができる。
【００２４】
実施形態２
本考案の実施形態２に係る建築物の隅構造(以下、単に隅構造という)Ｋを図２に示す。なお、実施形態２は入隅部に関するものとされる。
【００２５】
実施形態２は、実施形態１を改変してなるものであって、図２に示すように、本体３０の一端部収納部３１の接続部３１ｄおよび他端部収納部３２の接続部３２ｄはそれぞれ延伸されて、一端部収納部３１および他端部収納部３２が、柱Ｃに対してより外方に位置するようにされている。なお、実施形態１と同一の要素は、実施形態１と同一の符号を付してその図示説明は省略する。
【００２６】
カバー４０の一端部収納部３１をカバーする一端部収納部カバー部４１および他端部収納部３２をカバーする他端部収納部カバー部４２は、各接続部３１ｄ，３２ｄの長さが長くされたことを考慮して一端部収納部３１および他端部収納部３２に沿うよう折板加工されている。
【００２７】
なお、その余の構成は実施形態１と同様とされている。
【００２８】
このように、本実施形態では一端部収納部３１の接続部３１ｄおよび他端部収納部３２の接続部３２ｄの長さが長くされているので、その長さを適宜調節することにより壁材Ｗの幅に柔軟に対応させることができる。逆に言えば、一端部収納部カバー部４１および他端部収納部カバー部４２の形状をそれぞれ一端部収納部３１および他端部収納部３２の形状に沿った形状とすることにより、各接続部３１ｄ，３２ｄの長さを長くすることができて壁材Ｗの幅に柔軟に対応させることができるようになる。また、一端部収納部カバー部４１および他端部収納部カバー部４２の形状をそれぞれ一端部収納部３１および他端部収納部３２の形状に沿った形状とすることにより、起立させられている各間隔辺３１ｃ，３２ｃの補強もなされている。さらに、起立させられている各間隔辺３１ｃ，３２ｃを定規とすることにより、施工の効率化が図られる。
【００２９】
実施形態３
本考案の実施形態３に係る建築物の隅構造(以下、単に隅構造という)Ｋを図３に示す。なお、実施形態３は出隅部に関するものとされる。
【００３０】
隅構造Ｋは、図３に示すように、一方の壁材Ｗ１の端部を収納するコの字状の一端部収納部(第１収納部)５１と、他方の壁材Ｗ２の端部を収納するコの字状の他端部収納部(第２収納部)５２とを有する本体５０と、本体５０の隅部を建物の外側からカバーするカバー６０とを主要構成要素として備えてなるものとされる。ここで、本体５０およびカバー６０は、一枚物の鋼板を折板加工により所望形状とされてなるものとされる。
【００３１】
本体５０は、図３に示すように、一端部収納部５１が柱Ｃの角の一側面に沿うように形成され、他端部収納部５２が角の他側面に沿うように形成されてなるものとされて建築物の躯体(例えば柱Ｃ)に接合(例えばビス留)される。なお、図示例においては、一端部収納部５１と他端部収納部５２とは、柱Ｃが四角柱とされているところから直交させられているが、一端部収納部５１と他端部収納部５２とのなす角は、直角に限定されるものではなく適用される柱Ｃの形状により適宜とできる。
【００３２】
一端部収納部５１は、外側辺５１ａと、柱Ｃの角の一側面に沿う内側辺５１ｂと、外側辺５１ａおよび内側辺５１ｂの間隔を決定する間隔辺５１ｃとを有するものとされる。内側辺５１ｂの先端は、図３に示すように、外側辺５１ａの先端より外方に位置させられている。これにより、壁材Ｗ１の端部を安定して受けることができる。また、内側辺５１ｂの先端部は、柱Ｃ側に折り返されて他端部収納部５２との接続部５１ｄとされている。より具体的には、接続部５１ｄの他端は、後述する他端部収納部５２の接続部５２ｄの他端と一体化されている。ここで、間隔辺５１ｃの長さは、壁材Ｗ１の端部を収納できるよう調整されている。
【００３３】
他端部収納部５２は、一端部収納部５１と同様に、外側辺５２ａと、柱Ｃの角の他側面に沿う内側辺５２ｂと、外側辺５２ａおよび内側辺５２ｂの間隔を決定する間隔辺５２ｃとを有するものとされる。内側辺５２ｂの先端は、図３に示すように、外側辺５２ａの先端より外方に位置させられている。これにより、他方の壁材Ｗ２の端部を安定して受けることができる。また、内側辺５２ｂの先端部は、柱Ｃ側に折り返されて一端部収納部５１との接続部５２ｄとされている。より具体的には、接続部５２ｄの他端は、前述したように、一端部収納部５１の接続部５１ｄの他端と一体化されている。ここで、間隔辺５２ｃの長さは、壁材Ｗ２の端部を収納できるよう調整されている。
【００３４】
カバー６０は、図３に示すように、一端部収納部５１をカバーする一端部収納部カバー部(第１収納部カバー部)６１と、他端部収納部５２をカバーする他端部収納部カバー部(第２収納部カバー部)６２とを有するものとされる。ここで、カバー６０をカラー鋼板とすることにより、隅部の意匠的効果を高めることができる。
【００３５】
一端部収納部カバー部６１の先端部は、図３に示すように、一端部収納部５１の外側辺５１ａの先端部を包み込むようにして折り返されている。つまり、一端部収納部カバー部６１の先端部は、一端部収納部５１の外側辺５１ａの係止部とされている。
【００３６】
他端部収納部カバー部６２の先端部は、同様に他端部収納部５２の外側辺５２ａの先端部を包み込むようにして折り返されている。つまり、他端部収納部カバー部６２の先端部は、他端部収納部５２の外側辺５２ａの係止部とされている。
【００３７】
このように、本実施形態の隅構造Ｋによれば、出隅部における壁材Ｗの端部を簡易な作業により見栄えよく仕舞うことができるとともに、出隅部を水密とすることができる。
【００３８】
実施形態４
本考案の実施形態４に係る建築物の隅構造(以下、単に隅構造という)Ｋを図４に示す。なお、実施形態４は出隅部に関するものとされる。
【００３９】
実施形態４は、実施形態３のカバー６０を改変してなるものであって、図４に示すように、カバー８０の一端部収納部(第１収納部)７１をカバーする一端部収納部カバー部(第１収納部カバー部)８１および他端部収納部(第２収納部)７２をカバーする他端部収納部カバー部(第２収納部カバー部)８２は、一端部収納部７１および他端部収納部７２に沿うよう折板加工されている。その余の構成は実施形態３と同様とされている。なお、実施形態３と同一の要素は、実施形態３と同一の符号を付してその図示説明は省略する。
【００４０】
このように、本実施形態では一端部収納部カバー部７１および他端部収納部カバー部７２の形状をそれぞれ一端部収納部７１および他端部収納部７２の形状に沿った形状とすることにより、起立させられている各間隔辺７１ｃ，７２ｃの補強もなされている。また、起立させられている各間隔辺７１ｃ，７２ｃを定規とすることにより、施工の効率化が図られる。
【００４１】
以上、本考案を実施形態に基づいて説明してきたが、本考案はかかる実施形態に限定されるものではなく種々改変が可能である。
【産業上の利用可能性】
【００４２】
本考案は、建築産業に適用できる。
【符号の説明】
【００４３】
Ｋ          建築物の隅構造
Ｗ          壁材
Ｗ１        一方の壁材  
Ｗ２        他方の壁材
Ｂ          胴縁
Ｃ          柱
１０          本体
１１          一端部収納部
１１ａ        内側辺
１１ｂ        外側辺
１１ｃ        間隔辺
１１ｄ        接続部
１２          他端部収納部
１２ａ        内側辺
１２ｂ        外側辺
１２ｃ        間隔辺
１２ｄ        接続部
２０          カバー
２１          一端部収納部カバー部
２２          他端部収納部カバー部
３０          本体
３１          一端部収納部
３１ｄ        接続部
３２          他端部収納部
３２ｄ        接続部
４０          カバー
４１          一端部収納部カバー部
４２          他端部収納部カバー部
５０          本体
５１          一端部収納部
５１ａ        外側辺
５１ｂ        内側辺
５１ｃ        間隔辺
５１ｄ        接続部
５２          他端部収納部
５２ａ        外側辺
５２ｂ        内側辺
５２ｃ        間隔辺
５２ｄ        接続部
６０          カバー
６１          一端部収納部カバー部
６２          他端部収納部カバー部
７０          本体
７１          一端部収納部
７１ｃ        間隔辺
７１ｄ        接続部
７２          他端部収納部
７２ｃ        間隔辺
７２ｄ        接続部
【図１】
0003228471.tif 000003
【図２】
0003228471.tif 000004
【図３】
0003228471.tif 000005
【図４】
0003228471.tif 000006
【図５】
0003228471.tif 000007